(57)【要約】【課題】蓋体に対して、加飾部分が部分的にでも剥がれたり、また脱落したりすることがないという要請に応えることができ、かつまた購買者が好みに応じて外観を選ぶことができる自由度を高めることが可能な化粧料容器を提供する。【解決手段】蓋体６にこれを覆って交換可能に設けられる交換用カバー７と、蓋体に、交換用カバーへ向かって形成された貫通孔２１と、貫通孔内に形成された第２係合体１６ａと、交換用カバーに形成され、貫通孔を貫通して蓋体から露出される操作片２５と、操作片に形成され、第２係合体に係脱自在に係合される第２被係合体１６ｂとを備えた。交換用カバーが蓋体にその表面６ａを覆って設けられ、蓋体には、容器本体を開閉するために容器本体に回動自在に連結されるヒンジブロック１３が設けられ、貫通孔がヒンジブロックに形成されるとともに、操作片が蓋体の表面とは反対側の裏面６ｂから露出される。【選択図】　　　　　図１
2004113416.tif 000002
【特許請求の範囲】
【請求項１】
容器本体とこれを開閉する蓋体とを有する化粧料容器において、
上記蓋体にこれを覆って交換可能に設けられる交換用カバーと、上記蓋体に、上記交換用カバーへ向かって形成された貫通孔と、該貫通孔内に形成された係合体と、上記交換用カバーに形成され、上記貫通孔を貫通して上記蓋体から露出される操作片と、該操作片に形成され、上記係合体に係脱自在に係合される被係合体とを備えたことを特徴とする化粧料容器。
【請求項２】
前記交換用カバーが前記蓋体にその表面を覆って設けられ、上記蓋体には、前記容器本体を開閉するために該容器本体に回動自在に連結されるヒンジ部が設けられ、前記貫通孔が上記ヒンジ部に形成されるとともに、前記操作片が上記蓋体の表面とは反対側の裏面から露出されることを特徴とする請求項１に記載の化粧料容器。
【発明の詳細な説明】
【０００１】
【発明の属する技術分野】
本発明は、加飾部分が蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００４】
本発明は上記従来の課題に鑑みて創案されたものであって、特に蓋体に対して、加飾部分が部分的にでも剥がれたり、また脱落したりすることがないという要請に応えることができ、かつまた購買者が好みに応じて外観を選ぶことができる自由度を高めることが可能な化粧料容器を提供することを目的とする。
【０００５】
【課題を解決するための手段】
本発明にかかる化粧料容器は、容器本体とこれを開閉する蓋体とを有する化粧料容器において、上記蓋体にこれを覆って交換可能に設けられる交換用カバーと、上記蓋体に、上記交換用カバーへ向かって形成された貫通孔と、該貫通孔内に形成された係合体と、上記交換用カバーに形成され、上記貫通孔を貫通して上記蓋体から露出される操作片と、該操作片に形成され、上記係合体に係脱自在に係合される被係合体とを備えたことを特徴とする。これにより、加飾部分が蓋体から部分的にでも剥がれたり、また脱落したりすることがないという要請に応えることができ、かつまた購買者が好みに応じて外観を選ぶことができる自由度を高めることが可能となる。
【０００６】
また、前記交換用カバーが前記蓋体にその表面を覆って設けられ、上記蓋体には、前記容器本体を開閉するために該容器本体に回動自在に連結されるヒンジ部が設けられ、前記貫通孔が上記ヒンジ部に形成されるとともに、前記操作片が上記蓋体の表面とは反対側の裏面から露出されることを特徴とする。これにより、ヒンジ部を利用して、交換用カバーを蓋体に取り付けるための貫通孔や係合体を備えるためのスペースが確保されて、化粧料容器の大型化が阻止されるとともに、操作片がヒンジ部において蓋体の裏面に露出されることから、化粧料容器の外観を良好に維持することも可能となる。
【０００７】
【発明の実施の形態】
以下に、本発明にかかる化粧料容器の好適な一実施形態を、添付図面を参照して詳細に説明する。本実施形態にかかる化粧料容器１は図１〜図４に示すように、収納凹部２が形成された皿状の合成樹脂製容器本体３と、容器本体３の一端にヒンジ４を介して上下方向へ回動自在に連結されて容器本体３を開閉するとともに、容器本体３の他端にフック５を介して係脱自在に係合されて当該容器本体３の閉止状態を維持する板体状の合成樹脂製の蓋体６と、蓋体６に着脱自在に設けられ、交換可能に蓋体６の表面６ａを覆う板体状の合成樹脂製の交換用カバー７とから主に構成される。
【０００８】
図示例にあっては、これら容器本体３、蓋体６、並びに交換用カバー７は平面外形輪郭が矩形状に形成されるけれども、多角形状や円形状であってもよい。蓋体６の裏面６ｂには、鏡８が取り付けられている。
【０００９】
フック５は、容器本体３の一端に形成された凹所９内に突設されたフック用突起１０と、蓋体６の一端から垂下されてフック用突起１０に係脱自在に係合されるフック片１１とから構成される。またヒンジ４は、フック５とは反対側において容器本体３の他端から一対突設されたヒンジ片１２間に、蓋体６の他端から垂下させたヒンジ部としてのヒンジブロック１３が挟み込まれ、これらヒンジブロック１３からヒンジ片１２にわたって形成したピン穴１４にヒンジピン（図示せず）が挿入されることで構成され、ヒンジブロック１３はヒンジピンによりヒンジ片１２を介して容器本体３に回動自在に連結される。
【００１０】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し一般周知の方法によって一体不可分に分離不能に一体的に形成される。
【００１１】
これら交換用カバー７は、その外形輪郭が容器本体３の外形輪郭と一致するようにほぼ同じ外形寸法で形成されるとともに、この交換用カバー７が取り付けられる蓋体６は、取り付け代を確保するためにこれらよりも若干小さな外形寸法で形成され、交換用カバー７はこの蓋体６の上にこれを覆って重ね合わされる。交換用カバー７の材質は合成樹脂製に限らず、金属製であってもよい。
【００１２】
交換用カバー７と蓋体６との間には、これらを係脱自在に係合する係合手段として、第１係合部１５および第２係合部１６が設けられる。これら係合部１５，１６は、蓋体６の両端であるフック５側およびヒンジ４側にそれぞれ位置される。蓋体６のフック５周辺およびヒンジ４周辺は、容器本体３側へ拡張形成されていて、蓋体６の一般部分よりも広いスペースが得られる。フック５側の第１係合部１５は、蓋体６側の第１係合体１５ａと交換用カバー７側の第１被係合体１５ｂとから構成される。
【００１３】
第１係合体１５ａは、フック片１１が位置する蓋体６の一側縁全体をヒンジ４側へ向かって段違いに窪ませた凹部１７の上に、この凹部１７を部分的に覆うように突出させて形成される。また第１被係合体１５ｂは、第１係合体１５ａ側の交換用カバー７の一側縁全体を垂下させた垂下部１８から、第１係合体１５ａに対応する部分を当該第１係合体１５ａ下の凹部１７に向かって突出させて形成される。
【００１４】
これら第１係合体１５ａと第１被係合体１５ｂは、交換用カバー７を蓋体６の上から重ね合わせることによって、第１被係合体１５ｂが第１係合体１５ａを乗り越えてその下の凹部１７内に入り込むことにより、互いに係脱自在に係合されるようになっている。特に、乗り越える過程で第１被係合体１５ｂが第１係合体１５ａと向かい合う面は、その乗り越えをスムーズにするためにテーパ面１９で形成される一方で、係合状態で互いに噛み合う第１係合体１５ａと第１被係合体１５ｂの隅角部同士２０は、互いの係合が外れにくいように角をつけて形成される。
【００１５】
ヒンジ４側の第２係合部１６も第１係合部１５と同様に、蓋体６側の第２係合体１６ａと交換用カバー７側の第２被係合体１６ｂとから構成される。ヒンジブロック１３には図１および図２に示すように、蓋体６上に重ね合わされる交換用カバー７へ向かって蓋体６を上下方向に貫通する貫通孔２１が形成され、この貫通孔２１によって蓋体６ないしヒンジブロック１３には部分的に、内壁部１３ａと外壁部１３ｂとが形成される。またヒンジブロック１３の鏡８に面する、すなわち蓋体６の表面６ａとは反対側の裏面６ｂに面する側面には、貫通孔２１を取り囲むようにして、窪み部２２が形成される。そして内壁部１３ａにはこれより貫通孔２１内へ突出させて第２係合体１６ａが形成される。
【００１６】
他方、交換用カバー７には、そのヒンジ側端縁全体を蓋体６側に向かって垂下させて、蓋体６のヒンジ側端縁全体に形成された凹所２３に嵌め合わされる垂下部２４が形成されるとともに、この垂下部２４よりも内側には、貫通孔２１を貫通して蓋体６から窪み部２２内に露出される操作片２５が形成される。本実施形態にあっては、この操作片２５は、弾性をもって可撓変形可能なように、交換用カバー７から相当の長さで垂下されて形成される。そしてこの操作片２５には、第２係合体１６ａと向かい合うように突出させて、当該第２係合体１６ａと係脱自在に係合される第２被係合体１６ｂが形成される。
【００１７】
これら第２係合体１６ａと第２被係合体１６ｂも、交換用カバー７を蓋体６の上から重ね合わせると、第２被係合体１６ｂが第２係合体１６ａを乗り越えて互いに係脱自在に係合されるようになっている。この第２係合部１６にあっては、乗り越える過程で第２係合体１６ａおよび第２被係合体１６ｂが互いに向かい合う面は、その乗り越えをスムーズにするためにテーパ面２６，２７で形成される一方で、係合状態で互いに噛み合う第２係合体１６ａと第２被係合体１６ｂの隅角部同士２８は、互いの係合が外れにくいように角をつけて形成される。
【００１８】
本実施形態にかかる化粧料容器１の作用について説明すると、図３および図４にも示すように、化粧料容器１を購入した購買者が蓋体６に装着されている交換用カバー７を、他のデザインの新たな交換用カバー７に交換する際には、蓋体６を上下方向に回動させて容器本体３を開き、蓋体の裏面に現れたヒンジブロック１３の窪み部２２に露出されている操作片２５を、窪み部２２の奥に向かって押圧操作する。
【００１９】
操作片２５を押圧操作すると、当該操作片２５の可撓変形を伴って第２被係合体１６ｂは第２係合体１６ａから離脱されるので、その後交換用カバー７を蓋体６に対して引き離すようにする。このようにして第２係合部１６を離脱させて交換用カバー７を蓋体６から分離させると、第１係合部１５の第１係合体１５ａと第１被係合体１５ｂとの係合を離脱させることができ、交換用カバー７を蓋体６から取り外すことができる。
【００２０】
次いで新たな交換用カバー７を蓋体６に装着する際には、第１係合部１５を係合させた状態で、第２係合部１６側において交換用カバー７を蓋体６に向かって押し付ければ、操作片２５が貫通孔２１内に入り込むとともに、その可撓変形によって第２被係合体１６ｂが第２係合体１６ａと係合し、これにより新しい交換用カバー７を蓋体６に重ね合わせて取り付けることができる。
【００２１】
以上説明したように本実施形態にかかる化粧料容器１にあっては、蓋体６にこれを覆って交換可能に設けられる交換用カバー７と、蓋体６に、交換用カバー７へ向かって形成された貫通孔２１と、貫通孔２１内に形成された第２係合体１６ａと、交換用カバー７に形成され、貫通孔２１を貫通して蓋体６から露出される操作片２５と、操作片２５に形成され、第２係合体１６ａに係脱自在に係合される第２被係合体１６ｂとを備えたので、化粧料容器１の外観が生産者の選定したデザインに限定されることがなく、化粧料容器１として、購買者が好みに応じて外観を自由度高く選ぶことができ、これにより購買意欲を高め得るものとすることができる。
【００２２】
また交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。また、交換用カバー７と蓋体６との間にこれらを係脱自在に係合する第１係合部１５および第２係合部１６を設けていて、これら係合部１５，１６の係脱操作によって、簡単に交換用カバー７の交換をすることができる。
【００２３】
さらに、本実施形態にあっては、交換用カバー７が蓋体６にその表面６ａを覆って設けられ、蓋体６には、容器本体３を開閉するために当該容器本体３に回動自在に連結されるヒンジブロック１３が設けられ、貫通孔２１がヒンジブロック１３に形成されるとともに、操作片２５が蓋体６の表面６ａとは反対側の裏面６ｂから露出されるので、ヒンジブロック１３を利用して、交換用カバー７を蓋体６に取り付けるための貫通孔２１や第２係合体１６ａを備えるためのスペースが確保されて、化粧料容器１の外形寸法を大きくすることなく、合理的に第２係合部１６を備えることができるとともに、操作片２５がヒンジブロック１３において蓋体６の裏面６ｂに露出されることから、蓋体６を閉じているときはもちろんのこと、開いた状態でも化粧料容器１の外観を良好に維持することができる。
【００２４】
また、第２被係合部１６ｂを係脱させる操作片２５が、バネ性をもって可撓変形自在であるので、第２係合部１６の係脱操作の操作性を向上させることができる。
【００２５】
本実施形態にあっては、ヒンジ４やフック５を備えた化粧料容器１を例示して説明したが、これに限らず、容器本体３に対してネジ構造や径嵌合構造によって蓋体６を着脱するタイプの各種容器に適用してもよいことはもちろんである。
【００２６】
【発明の効果】
以上要するに、本発明にかかる化粧料容器にあっては、加飾部分が容器本体や蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器の蓋体を開いた状態を示す要部拡大斜視図である。
【図３】図１の化粧料容器の蓋体を開いた状態を示す要部拡大断面図である。
【図４】図１の化粧料容器の蓋体を開いた状態における、交換用カバーの取り外しもしくは取り付け過程を示す要部拡大断面図である。
【符号の説明】
１　化粧料容器　　　　　　　　　　　３　容器本体
６　蓋体　　　　　　　　　　　　　　６ａ　蓋体の表面
６ｂ　蓋体の裏面　　　　　　　　　　７　交換用カバー
１３　ヒンジブロック　　　　　　　　１６ａ　第２係合体
１６ｂ　第２被係合体　　　　　　　　２１　貫通孔
２５　操作片
【図１】
2004113416.tif 000003
【図２】
2004113416.tif 000004
【図３】
2004113416.tif 000005
【図４】
2004113416.tif 000006
【手続補正書】
【提出日】平成14年10月21日(2002.10.21)
【手続補正１】
【補正対象書類名】明細書
【補正対象項目名】０００２
【補正方法】変更
【補正の内容】
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。なお、本願出願人は、関連する先行出願として、特願２００１−２４９０００を出願している。